(57)【要約】      （修正有）【課題】錆付き等で硬く固着しているネジでも確実に緩めることができるコインネジを提供する。【解決手段】頭部１およびその頭部より小さい外径の雌ネジ部２を一体的に具えるコインネジにおいて、頭部１がその正面に、その頭部１の中心軸線Ｃから互いに反対方向に外れて互いに平行に延在する二本のすり割り溝５（スリット）を有する。【選択図】図１
0003198935.tif 000002
【実用新案登録請求の範囲】
【請求項１】
頭部およびその頭部より小さい外径のネジ部を一体的に具えるコインネジにおいて、
前記頭部がその正面に、その頭部の中心軸線から互いに反対方向に外れて互いに平行に延在する二本のすり割り溝を有することを特徴とするコインネジ。
【請求項２】
前記二本のすり割り溝が各々、コインの輪郭に対応して長手方向に円弧状をなす底面を持つことを特徴とする、請求項１記載のコインネジ。
【請求項３】
前記頭部およびその頭部より小さい外径の有底筒状の雌ネジ部を一体的に具え、
前記雌ネジ部内に雄ネジ軸が螺着固定されてコインボルトを構成することを特徴とする、請求項１または２記載のコインネジ。
【請求項４】
前記頭部およびその頭部より小さい外径の有底筒状の雌ネジ部を一体的に具えてコインナットを構成することを特徴とする、請求項１または２記載のコインネジ。
【考案の詳細な説明】
【技術分野】
【０００１】
本考案は、コインで頭部を回転させて付け外しを行うことができるコインネジに関し、特には、防災施設と兼用のベンチ等の屋外施設において硬く固着しているネジを緩める場合等のために大きなトルクを頭部に加え得るコインネジに関するものである。
【背景技術】
【０００２】
従来のコインネジは、コインボルトの場合は、頭部およびその頭部より細い軸状の雄ネジ部を一体的に具えてボルトを構成し、頭部がその正面に、その頭部の中心軸線と交差して延在するとともに、コインの輪郭に対応して長手方向に円弧状をなす底面あるいは単に一定深さの平坦な底面を持つ一本のすり割り溝（スリット）を有している（特許文献１参照）。
【０００３】
また、コインナットの場合は、頭部およびその頭部より細い有底筒状の雌ネジ部を一体的に具えて袋ナットを構成し、コインボルトの場合と同様、頭部がその正面に、その頭部の中心軸線と交差して延在するとともに、コインの輪郭に対応して長手方向に円弧状をなす底面あるいは単に一定深さの平坦な底面を持つ一本のすり割り溝（スリット）を有している。
【先行技術文献】
【特許文献】
【０００４】
【特許文献１】特開２０１４−２１４７２１号公報
【考案の概要】
【考案が解決しようとする課題】
【０００５】
しかしながら、このような従来のコインネジでは、すり割り溝が一本しかないことから、防災施設と兼用のベンチ等の屋外施設において錆付き等で硬く固着しているネジを緩めるためにすり割り溝に周辺部を挿入したコインを捻って頭部に大きなトルクを加えようとすると、すり割り溝の側壁部分が塑性変形してすり割り溝が崩れてしまい、ネジを緩めることができない場合があるという問題があり、このことは特に、すり割り溝が一定深さの平坦な底面を持つ場合に、円弧状の底面を持つ場合と比較してコインとすり割り溝の側壁部分との掛合面積が狭くなるため重大であった。
【課題を解決するための手段】
【０００６】
本考案は上記従来のコインネジの課題を有利に解決することを目的とするものであり、本考案のコインネジは、頭部およびその頭部より小さい外径のネジ部を一体的に具えるコインネジにおいて、前記頭部がその正面に、その頭部の中心軸線から互いに反対方向に外れて互いに平行に延在する二本のすり割り溝を有することを特徴とするものである。
【考案の効果】
【０００７】
本考案のコインネジによれば、頭部の二本のすり割り溝内に周辺部をそれぞれ挿入した二枚のコインの他方の周縁同士を重ね合せてそれらのコインを捻ることで、頭部にトルクを加えてネジ部を回転させることができる。しかも、二枚のコインが二本のすり割り溝内にそれぞれ挿入されてそれらのすり割り溝の側壁部分と掛合することから、コインとすり割り溝の側壁部分との掛合面積が従来の一本のすり割り溝の場合の二倍になってコインからの面圧が半分になるので、コインで頭部に大きなトルクを加えてもすり割り溝の側壁部分が塑性変形してすり割り溝が崩れてしまうことがほとんどもしくは全くなく、それゆえ、錆付き等で硬く固着しているネジでも確実に緩めることができる。
【０００８】
なお、本考案のコインネジにおいては、前記二本のすり割り溝が各々、コインの輪郭に対応して長手方向に円弧状をなす底面を持つと、すり割り溝が一定深さの平坦な底面を持つ場合と比較してコインとすり割り溝の側壁部分との掛合面積が大きくなり、コインで頭部により大きなトルクを加えることができるので好ましい。
【０００９】
また、本考案のコインネジにおいては、前記頭部およびその頭部より小さい外径の有底筒状の雌ネジ部を一体的に具え、前記雌ネジ部内に雄ネジ軸が螺着固定されてコインボルトを構成し、また前記頭部およびその頭部より小さい外径の有底筒状の雌ネジ部を一体的に具えてコインナットを構成すると、頭部および雌ネジ部をコインボルトとコインナットとに共用でき、大量生産によってマスメリットが生じるので好ましい。
【図面の簡単な説明】
【００１０】
【図１】（ａ）および（ｂ）は、本考案のコインネジの一実施例としてのコインボルトを示す正面図および側面図である。
【図２】（ａ）および（ｂ）は、上記実施例のコインボルトに用いられる、本考案のコインネジの他の一実施例としてのコインナットを示す正面図および側面図である。
【図３】上記実施例のコインボルトの使用方法を示す斜め上方から見た斜視図である。
【考案を実施するための形態】
【００１１】
以下、本考案の実施の形態を実施例によって図面に基づき詳細に説明する。ここに、図１（ａ）および図１（ｂ）は、本考案のコインネジの一実施例としてのコインボルトを示す正面図および側面図であり、図２（ａ）および図２（ｂ）は、上記実施例のコインボルトに用いられる、本考案のコインネジの他の一実施例としてのコインナットを示す正面図および側面図である。
【００１２】
この実施例のコインボルトは、頭部１およびその頭部１より小さい外径の有底筒状の雌ネジ部２を一体に有する基部３と、その基部３の雌ネジ部２内に形成された雌ネジ２ａに外周面の雄ネジ４ａを螺合されて雌ネジ部２内に螺着固定されたネジ部としての雄ネジ軸４と、を具えてなる。
【００１３】
頭部１は僅かに凸曲面状をなすその正面に、その頭部１の中心軸線Ｃから互いに反対方向に外れて互いに平行に延在する二本のすり割り溝５（スリット）を有しており、二本のすり割り溝５は各々、コインの輪郭に対応して長手方向に円弧状、すなわち側方視で円弧状をなす底面５ａを持つとともに、その底面５ａに繋がる両壁５ｂを持っている。
【００１４】
各底面５ａは、コインの輪郭に対応してその底面５ａの長手方向に円弧状をなしており、例えば１０円硬貨の外径２３．５ｍｍや１００円硬貨の外径２２．６ｍｍに対応するには、底面５ａを半径約１２ｍｍの円弧状に形成するのが好ましい。なお、１０円硬貨の厚さ１．５ｍｍおよび１００円硬貨の厚さ１．７ｍｍに対応するには、両側面５ｂの間隔である溝幅を例えば約２ｍｍとするのが好ましい。
【００１５】
さらに、雌ネジ部２は、例えばＭ１０×Ｐ１．５ｍｍの雌ネジ２ａを形成する場合には、例えば外径１４ｍｍ、長さ２０ｍｍ程度とするのが好ましく、その場合に、頭部１は、例えば外径２４ｍｍ、厚さ４ｍｍ程度とするのが好ましい。
【００１６】
雄ネジ軸４は、雌ネジ２ａに螺合する雄ネジ４ａを持つものであれば、長さは所要に応じて設定することができ、例えば雌ネジ２ａに螺合される約１０ｍｍの長さを含めて全長４０ｍｍ乃至６０ｍｍ程度とすることができる。
【００１７】
さらにこの実施例のコインボルトでは、雌ネジ部２の雌ネジ２ａと雄ネジ軸４の雄ネジ４ａとの間に、それらの螺合に先立ってネジロック剤、例えば東亜化成株式会社が販売する商品名「アロンタイトＵＲ」等を介挿する。これにより簡易かつ安価に、雄ネジ軸４を雌ネジ部２に強固に螺着固定することができる。なお、雌ネジ部２にその半径方向へ延在する雌ネジ孔を形成して、その雌ネジ孔内にねじ込んだ留めネジで雄ネジ軸４を回り止めすることで、雄ネジ軸４を雌ネジ部２に強固に螺着固定しても良い。
【００１８】
頭部１およびその頭部１より小さい外径の有底筒状の雌ネジ部２を一体的に具える基部３は、雄ネジ軸４を螺着する前の状態では、図２に示すように、本考案のコインネジの他の一実施例としてのコインナットを構成することができ、この実施例のコインナットの場合には、雌ネジ部２がネジ部を構成する。
【００１９】
図３は、上記実施例のコインボルトの使用方法を示す斜め上方から見た斜視図であり、この実施例のコインボルトによれば、図示のように頭部１の二本のすり割り溝５内に周辺部をそれぞれ挿入した二枚のコイン６の他方の周縁同士を重ね合せてそれらのコイン６を例えば指Ｆで挟んで捻ることで、頭部１にトルクを加えて、雄ネジ軸４を図中矢印で示すように回転させることができる。
【００２０】
しかもこの実施例のコインボルトによれば、二枚のコイン６が二本のすり割り溝５内にそれぞれ挿入されてそれらのすり割り溝５の側壁５ｂと掛合することから、コイン６とすり割り溝５の側壁５ｂとの掛合面積が従来の一本のすり割り溝の場合の二倍になってコイン６からの面圧が半分になるので、コイン６で頭部１に大きなトルクを加えてもすり割り溝５の側壁５ｂが塑性変形してすり割り溝５が崩れてしまうことがほとんどもしくは全くなく、それゆえ、錆付き等で硬く固着しているネジでも確実に緩めることができる。
【００２１】
さらにこの実施例のコインボルトによれば、二本のすり割り溝５が各々、コインの輪郭に対応して長手方向に円弧状をなす底面５ａを持つことから、すり割り溝５が一定深さの平坦な底面を持つ場合と比較してコイン６とすり割り溝５の側壁５ａとの掛合面積が大きくなるので、より大きなトルクをコイン６で頭部１に加えることができる。
【００２２】
さらにこの実施例のコインボルトによれば、頭部１およびその頭部１より小さい外径の有底筒状の雌ネジ部２を一体に有する基部３が、この考案の実施例のコインナットをも構成することから、頭部１および雌ネジ部２をコインボルトとコインナットとに共用でき、大量生産によってマスメリットが生じて安価に製造することができる。
【００２３】
以上、図示例に基づき説明したが、本考案のコインネジは上述の例に限定されるものでなく、例えば、は雌ネジ部２を持たず、雄ネジ軸４は雌ネジ部２と螺合するものでなく頭部１あるいはそこから突出する軸部と一体に形成されていても良い。
【００２４】
また、本考案のコインネジは、例えば頭部の正面が平坦で皿ネジ状をなすものでも良く、あるいは頭部の正面に二本のすり割り溝５と直交する他の一本または二本のすり割り溝を具えていても良く、さらには頭部のすり割り溝が、一定深さの平坦な底面や側方視で円弧状以外の凹曲線状あるいはＶ字状や台形等の凹多角形状をなす底面を持つものでも良い。
【産業上の利用可能性】
【００２５】
かくして本考案のコインネジによれば、頭部の二本のすり割り溝内に周辺部をそれぞれ挿入した二枚のコインの他方の周縁同士を重ね合せてそれらのコインを捻ることで、頭部にトルクを加えてネジ部を回転させることができ、しかも、二枚のコインが二本のすり割り溝内にそれぞれ挿入されてそれらのすり割り溝の側壁部分と掛合することから、コインとすり割り溝の側壁部分との掛合面積が従来の一本のすり割り溝の場合の二倍になってコインからの面圧が半分になるので、コインで頭部に大きなトルクを加えてもすり割り溝の側壁部分が塑性変形してすり割り溝が崩れてしまうことがほとんどもしくは全くなく、それゆえ、錆付き等で硬く固着しているネジでも確実に緩めることができる。
【符号の説明】
【００２６】
１  頭部
２  雌ネジ部
２ａ  雌ネジ
３  基部
４  雄ネジ軸
４ａ  雄ネジ
５  すり割り溝
５ａ  底面
５ｂ  側壁
６  コイン
Ｃ  中心軸線
Ｆ  指
【図１】
0003198935.tif 000003
【図２】
0003198935.tif 000004
【図３】
0003198935.tif 000005